(57)【要約】      （修正有）【課題】エレベータ制御装置は乗りかごが戸開状態のまま走行することを防止する機能を有するが、一方、保守点検作業の能率を悪化させることにもなり、改善の余地がある。【解決手段】エレベータ制御装置１は、エレベータの乗りかごの戸開走行条件の発生を検出した際に前記乗りかごの制止状態を維持する機能を、制御盤筐体１１から制御盤カバー１０を取り外す機械操作に連動して解除すると共に、前記制御盤筐体１１に前記制御盤カバー１０を取り付ける機械操作に連動して、前記乗りかごの制止状態を維持する機能を復帰する。【選択図】図２
2012184052.tif 000002
【特許請求の範囲】
【請求項１】
エレベータの乗りかごの戸開走行条件の発生を検出した際に前記乗りかごの制止状態を維持する機能を、保守点検作業の機械操作に連動して解除することを特徴とする、
エレベータ制御装置。
【請求項２】
前記保守点検の機械操作として、制御盤筐体から制御盤カバーを取り外す機械操作に連動して、前記乗りかごの制止状態を維持する機能を解除する、
請求項１に記載のエレベータ制御装置。
【請求項３】
前記制御盤筐体に前記制御盤カバーを取り付ける機械操作に連動して、前記乗りかごの制止状態を維持する機能を復帰する、
請求項２に記載のエレベータ制御装置。
【発明の詳細な説明】
【技術分野】
【０００１】
本発明の実施形態は、エレベータ制御装置に関する。
【背景技術】
【０００２】
従来、エレベータは、昇降路内を乗りかごが移動することにより、乗りかごを任意の階床に移動させるが、このようなエレベータの制御装置では、例えば、乗りかごが戸開状態のまま走行することを防止する機能を有するものが知られている。
【先行技術文献】
【特許文献】
【０００３】
【特許文献１】特開２００９−１５４９８８号公報
【発明の概要】
【発明が解決しようとする課題】
【０００４】
ところで、従来技術においては、例えば、種々の保守点検作業の点でさらなる改善の余地がある。
【課題を解決するための手段】
【０００５】
実施形態のエレベータ制御装置は、エレベータの乗りかごの戸開走行条件の発生を検出した際に前記乗りかごの制止状態を維持する機能を、保守点検作業の機械操作に連動して解除することを特徴とする。
【図面の簡単な説明】
【０００６】
【図１】図１は、実施形態に係るエレベータの概略構成例を示すブロック図である。
【図２】図２は、実施形態に係る補助制御盤筐体の概略部分断面図である。
【図３】図３は、実施形態に係る補助制御盤における戸開走行保護機能を実現する制御回路の一例を示す図である。
【発明を実施するための形態】
【０００７】
［実施形態］
図１は、実施形態に係るエレベータの概略構成例を示すブロック図、図２は、実施形態に係る補助制御盤筐体の概略部分断面図、図３は、実施形態に係る補助制御盤における戸開走行保護機能を実現する制御回路の一例を示す図である。
【０００８】
本実施形態のエレベータ制御装置としてのエレベータ制御盤（以下、特に断りのない限り単に「制御盤」という。）１は、図１に示すように、エレベータ２に適用される。このエレベータ２は、乗りかご３が昇降路４内を鉛直方向に沿って昇降可能なものである。この乗りかご３の駆動方式は、例えば、油圧ポンプ等を用いた油圧方式や巻上機等の電動機を用いたロープ方式等、種々の方式を用いることができる。エレベータ２は、制御盤１によって各部の駆動が制御されて乗りかご３が昇降路４内を昇降することで、任意の目的階の乗り場５に移動することができる。制御盤１は、例えば、昇降路４の近傍、あるいは昇降路４上部の機械室６に設けられる。
【０００９】
制御盤１は、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、予め用意されたマップデータ、エレベータ２の仕様等の情報を記憶するバックアップＲＡＭ及び入出力ポート装置を有するマイクロコンピュータ及び駆動回路を備えている。
【００１０】
制御盤１は、種々のスイッチ、センサ、検出器やエレベータ２の各部と電気的に接続され、各部の動作を統括的に制御する。制御盤１は、例えば、かご操作盤、乗り場操作盤への利用者からの操作入力に応じて、乗りかご３を呼び登録に応じた指定の目的階に移動させる。そして、制御盤１は、乗りかご３が任意の目的階の乗り場５に着床し、所定の着床位置に着床したことを検出すると、扉装置７を開放する。これにより、乗り場５で待機している利用者は、乗りかご３内に乗り込むことが可能となり、また、乗りかご３内の利用者は乗り場５に降りることが可能となる。
【００１１】
そして、この制御盤１は、エレベータ２の各部の動作を統括的に制御すると共に、扉装置７が開いている状態で乗りかご３が走行することを防止するための戸開走行保護装置としての機能も有する。
【００１２】
なお、本実施形態の制御盤１は、エレベータ２の各部の動作を統括的に制御する既設の制御盤本体８に対して、戸開走行保護装置としての機能を実現する種々の装置、制御回路が収容された新設の補助制御盤９が後付で追加付設された構成となっている。ただし、制御盤１は、これに限らず、据付当初から制御盤本体８と補助制御盤９とが一体に構成されていてもよく、すなわち、補助制御盤９を備えず、制御盤本体８に戸開走行保護装置の機能が組み込まれていてもよい。
【００１３】
補助制御盤９は、戸開走行保護装置として機能する。すなわち、補助制御盤９は、エレベータ２の乗りかご３の戸開走行条件の発生を検出した際に乗りかご３を制止し、この乗りかご３の制止状態を維持する戸開走行保護機能を有する。
【００１４】
この補助制御盤９からなる戸開走行保護装置は、安全装置であるから、例えば、エレベータ２の通常運転時において乗りかご３の戸開走行条件に関する異常を検出した場合に、乗りかご３を制止の上、その検出状況によってはかご制止状態を維持することが求められている。そして、このように乗りかご３の制止状態維持がかかった場合には、例えば、保守点検作業員（以下、単に「作業員」と略記する。）が手動で所定のスイッチを操作することで、このかご制止状態維持の状態から復帰させることとなる。
【００１５】
ここで、作業員が保守点検作業中に意図せず、乗りかご３の戸開走行条件に関する異常検出条件、かご制止維持条件を成立させてしまった場合、点検作業の状況にかかわらず戸開走行保護機能が作動し、乗りかご３が制止され、この乗りかご３の制止状態が維持されてしまうおそれがある。すると、保守点検作業中の作業員は、例えば、乗りかご３のかご上や昇降路４のピット等に一時的に閉じ込められた状態となるおそれがあり、これにより、保守点検作業の能率が悪化するおそれがある。
【００１６】
そこで、本実施形態の制御盤１は、エレベータ２の乗りかご３の戸開走行条件の発生を検出した際にこの乗りかご３の制止状態を維持する機能を、保守点検作業の機械操作に連動して解除することで、保守点検作業の能率悪化の防止を図り、作業員が適切に保守点検作業を行うことができるようにしている。
【００１７】
本実施形態の制御盤１は、図２に示すように、作業員による保守点検作業における制御盤カバー１０の脱着操作（作業）に連動して乗りかご３の制止状態を維持する機能の解除、及び、復帰を行う。
【００１８】
この制御盤カバー１０は、図２に示すように、補助制御盤９の補助制御盤筐体（制御盤筐体）１１に対して脱着可能に設けられるものである。そして、補助制御盤９は、補助制御盤筐体１１内に戸開走行保護装置としての機能を実現する種々の装置、制御回路と共に、脱着連動スイッチ１２が内蔵されている。
【００１９】
脱着連動スイッチ１２は、制御盤カバー１０のカバー脱着操作に連動して作動するマイクロスイッチ等によって構成される。脱着連動スイッチ１２は、保守点検作業の機械操作に連動して、乗りかご３の戸開走行条件の発生を検出した際に乗りかご３を制止する機能はそのままに、乗りかご３を制止した後、乗りかご３の静止状態を維持する機能の有効、無効を切り替えるスイッチである。
【００２０】
この脱着連動スイッチ１２は、制御盤カバー１０が補助制御盤筐体１１に取り付けられている状態でＯＮとなり、乗りかご３の戸開走行条件の発生を検出した際に乗りかご３を制止し、この乗りかご３の制止状態を維持する機能が作動する状態となる。
【００２１】
一方、脱着連動スイッチ１２は、制御盤カバー１０が補助制御盤筐体１１から取り外されている状態でＯＦＦとなり、乗りかご３の戸開走行条件の発生を検出した際に乗りかご３を制止する機能はそのままに、この乗りかご３の制止状態を維持する機能が解除された状態となる。
【００２２】
つまり、本実施形態の補助制御盤９は、保守点検の機械操作として、補助制御盤筐体１１から制御盤カバー１０を取り外す機械操作に連動して、乗りかご３の制止状態を維持する機能を解除し、補助制御盤筐体１１に制御盤カバー１０を取り付ける機械操作に連動して、乗りかご３の制止状態を維持する機能を復帰する。
【００２３】
次に、図３を参照して補助制御盤９における戸開走行保護機能を実現する制御回路の一例を説明する。
【００２４】
補助制御盤９は、戸開走行保護機能を実現する制御回路として、脱着連動スイッチ１２、制止維持条件検出回路１３−１、１３−２、・・・、１３−ｎ、制止維持解除スイッチ１４、制止維持トリガ回路１５等を含んで構成される。補助制御盤９は、制止維持条件検出回路１３−１、１３−２、・・・１３−ｎのいずれかが乗りかご３の戸開走行条件の発生を検出した際に乗りかご３を制止する機能はそのままに、乗りかご３を制止した後、乗りかご３の静止状態を維持する機能を脱着連動スイッチ１２で有効、無効とするように回路を構成する。
【００２５】
脱着連動スイッチ１２は、電源と制止維持条件検出回路１３−１、１３−２、・・・１３−ｎとの間に接続される。脱着連動スイッチ１２は、保守点検作業の機械操作、ここでは、制御盤カバー１０のカバー脱着操作に連動して作動する。
【００２６】
制止維持条件検出回路１３−１、１３−２、・・・１３−ｎは、乗りかご３の戸開走行条件、すなわち、かご制止維持条件の成立、不成立を検出する回路であり、それぞれ制止維持トリガ回路１５に接続される。制止維持条件検出回路１３−１、１３−２、・・・１３−ｎは、乗りかご３の戸開走行条件に関する異常を検出するものであり、戸閉状態検出、戸開許可領域検出、戸開走行保護装置故障検出、戸開走行状況発生検出等に応じて、検出に必要な数が設けられ状態を監視する。
【００２７】
制止維持解除スイッチ１４は、乗りかご３の制止状態を手動で解除するためのスイッチであり、脱着連動スイッチ１２、制止維持条件検出回路１３−１、１３−２、・・・１３−ｎを介さずに別系統で電源と制止維持トリガ回路１５との間に接続される。
【００２８】
制止維持トリガ回路１５は、いわゆるラッチングリレー回路である。制止維持トリガ回路１５は、制御盤カバー１０が補助制御盤筐体１１に取り付けらており、脱着連動スイッチ１２がＯＮとされた状態で、かご制止維持条件が成立し制止維持条件検出回路１３−１、１３−２、・・・１３−ｎのいずれかが乗りかご３の戸開走行条件、すなわち、かご制止維持条件の成立を検出すると、セットコイルに電力が供給されて励磁され、その状態が維持される。これにより、制止維持トリガ回路１５は、異常検出状態となり、乗りかご３を制止し、この乗りかご３の制止状態を維持する。この場合、制止維持トリガ回路１５は、状況が改善されかご制止維持条件が成立しなくなって、制止維持条件検出回路１３−１、１３−２、・・・１３−ｎの全てがかご制止維持条件の成立を検出していない状態に復帰しても、乗りかご３の制止状態をそのまま維持する。
【００２９】
制止維持トリガ回路１５は、乗りかご３の制止状態を維持した状態で、作業員が制止維持解除スイッチ１４を手動で操作し、この制止維持解除スイッチ１４がＯＮとされると、リセットコイルに電力が供給されて励磁されセットコイルの磁力を打ち消して、異常検出状態が解除され正常状態に復帰する。これにより、制止維持トリガ回路１５は、乗りかご３の制止状態を解除し、乗りかご３が昇降可能な状態に復帰する。
【００３０】
そして、制止維持トリガ回路１５は、制御盤カバー１０が補助制御盤筐体１１から取り外されて、脱着連動スイッチ１２がＯＦＦとされると、脱着連動スイッチ１２にて電力供給が遮断されることで、かご制止維持条件が成立してもセットコイルに電力が供給されず励磁されないため、乗りかご３の制止状態が維持されなくなる。
【００３１】
この場合、補助制御盤９は、脱着連動スイッチ１２によって乗りかご３の制止状態を維持する機能が解除された状態であっても、乗りかご３の制止状態を維持する回路とは別系統で構成された乗りかご３を制止するための回路が、かご制止維持条件が成立し制止維持条件検出回路１３−１、１３−２、・・・１３−ｎのいずれかが乗りかご３の戸開走行条件、すなわち、かご制止維持条件の成立を検出すると、これに応じて乗りかご３を制止する。これにより、補助制御盤９は、脱着連動スイッチ１２によって乗りかご３の制止状態を維持する機能が解除された状態であっても、戸開走行保護の機能が補償される。ただし、この回路は、状況が改善されかご制止維持条件が成立しなくなって、制止維持条件検出回路１３−１、１３−２、・・・１３−ｎの全てがかご制止維持条件の成立を検出していない状態に復帰すると、自動で乗りかご３の制止状態から復帰し、乗りかご３が昇降可能な状態に復帰し、乗りかご３の制止状態が維持されることはない。
【００３２】
したがって、この制御盤１は、作業員が保守点検オペレーションの中で補助制御盤筐体１１から制御盤カバー１０を取り外すことで、この保守点検の機械操作に連動して脱着連動スイッチ１２がＯＦＦとなり、保守点検作業中に乗りかご３の戸開走行条件の発生を検出した際に乗りかご３を制止する機能はそのままに、乗りかご３の制止状態を維持する機能がキャンセルされる。この結果、この制御盤１は、例えば、作業員が保守点検作業中に意図せず、乗りかご３の戸開走行条件に関する異常検出条件、かご制止維持条件を成立させてしまい、乗りかご３が制止されても、状況が改善されかご制止維持条件が成立しなくなった場合にこの乗りかご３の制止状態が維持されてしまうことを防止し乗りかご３を昇降可能な状態にすることができる。これにより、この制御盤１は、作業員が乗りかご３のかご上や昇降路４のピット等に一時的に閉じ込められた状態となることを防止することができ、保守点検作業の能率が悪化することを防止することができる。
【００３３】
そして、この制御盤１は、保守点検作業の終了と共に、作業員が補助制御盤筐体１１に制御盤カバー１０を取り付けることで、この保守点検の機械操作に連動して脱着連動スイッチ１２がＯＮとなり、脱着連動スイッチ１２における電力供給の遮断が解除され、乗りかご３の制止状態を維持する機能が復帰する。これにより、この制御盤１は、乗りかご３の制止状態を維持する機能の復帰忘れを防止することができる。
【００３４】
この結果、制御盤１は、作業員に対して、乗りかご３の静止状態を維持する機能の有効、無効の切り替えを特段に意識させることなく、保守点検オペレーション中に通常の作業として行われる保守点検作業の機械操作に連動して、ここでは、制御盤カバー１０の脱着操作（作業）に連動して、乗りかご３の戸開走行条件の発生を検出した際に乗りかご３を制止する機能はそのままに、乗りかご３を制止した後、乗りかご３の静止状態を維持する機能の有効、無効を切り替えることができる。これにより、制御盤１は、例えば、作業員に対して、乗りかご３の静止状態を維持する機能の有効、無効の切り替えを特段に意識させることなく、通常の保守点検作業にとりかかれるようにすることができ、作業員が保守点検作業に専念できるようにすることができる。
【００３５】
以上で説明した制御盤１は、エレベータ２の乗りかご３の戸開走行条件の発生を検出した際に乗りかご３の制止状態を維持する機能を、保守点検作業の機械操作に連動して解除する。したがって、この制御盤１は、保守点検作業の能率が悪化することを防止することができ、作業員が適切に保守点検作業を行うことができる。
【００３６】
なお、上述した実施形態に係るエレベータ制御装置は、上述した実施形態に限定されず、特許請求の範囲に記載された範囲で種々の変更が可能である。
【００３７】
以上の説明では、制御盤１は、保守点検オペレーション中に通常の作業として行われる保守点検作業の機械操作として、制御盤カバー１０の脱着操作（作業）に連動して、乗りかご３の静止状態を維持する機能の有効、無効を切り替えるものとして説明したがこれに限らない。制御盤１は、保守点検作業の機械操作として、保守点検オペレーション中に通常の作業として行われる他の機械操作、例えば、通常の保守点検作業の範囲内で操作するスイッチ（保守点検終了時に復帰しなければならないような性格を有するスイッチ）の操作に連動して、乗りかご３の静止状態を維持する機能の有効、無効を切り替えるようにしてもよい。制御盤１は、例えば、通常運転と点検運転とを切り替えるスイッチ、あるいは、遠隔監視センタに故障発報する機能をＯＮ／ＯＦＦするスイッチ等の空き接点に上記脱着連動スイッチ１２を組み込んで、保守点検作業の機械操作として、これらのスイッチの操作に連動して、乗りかご３の制止状態を維持する機能を解除、復帰するように構成されてもよい。この場合であっても、制御盤１は、保守点検作業の能率が悪化することを防止することができ、作業員が適切に保守点検作業を行うことができる。
【００３８】
以上で説明した実施形態、変形例に係るエレベータ制御装置によれば、作業員が適切に保守点検作業を行うことができる。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１    制御盤（エレベータ制御装置）
２    エレベータ
３    乗りかご
４    昇降路
５    乗り場
６    機械室
７    扉装置
８    制御盤本体
９    補助制御盤
１０    制御盤カバー
１１    補助制御盤筐体（制御盤筐体）
１２    脱着連動スイッチ
１３−１、１３−２、・・・、１３−ｎ    制止維持条件検出回路
１４    制止維持解除スイッチ
１５    制止維持トリガ回路
【図１】
2012184052.tif 000003
【図２】
2012184052.tif 000004
【図３】
2012184052.tif 000005